(57)【特許請求の範囲】
【請求項１】
制御装置に作動的に結合される少なくとも１つの照明装置の光強度を制御するための制御装置であって、前記制御装置は、
入力部に作動的に結合される光センサからの光レベル測定結果を受信する入力部と、
前記入力部を介して受信される少なくとも１つの光レベル測定結果に基づいて、前記光センサが不正変更されたかどうかを決定するコントローラであって、さらに、前記光センサが不正変更されたと決定した場合に、フォールバックモードに従って、前記少なくとも１つの照明装置を制御し、前記光センサが不正変更されていないと決定した場合に、昼光採光モードに従って、前記少なくとも１つの照明装置を制御する当該コントローラと
を有し、
前記フォールバックモードは、前記コントローラにアクセス可能な内蔵プログラムに基づいて、前記少なくとも１つの照明装置の光強度を制御することを有し、
前記昼光採光モードは、前記少なくとも１つの光レベル測定結果に基づいて、前記少なくとも１つの照明装置の光強度を制御することを有し、
前記コントローラは、前記少なくとも１つの光レベル測定結果を、
前記光センサの暗電流値と、
前記少なくとも１つの照明装置が前記光強度を増大させる又は減少させるために制御された後に前記入力部を介して受信される第２光レベル測定結果と、
第１期間に前記入力部を介して受信される第１光レベル測定結果の終了と第２期間に前記入力部を介して受信される第２光レベル測定結果の開始とは少なくとも１分離れている当該第２光レベル測定結果と、
のうちの何れかと比較することに基づいて、前記光センサが不正変更されたかどうかを決定する、制御装置。
【請求項２】
前記コントローラは、さらに、前記光センサが不正変更されたかどうかの決定に基づいて、音声又は視覚的指示器を制御する、請求項１に記載の制御装置。
【請求項３】
前記コントローラは、さらに、前記光センサが不正変更されたかどうかを示す信号を外部の監視システムに送信する、請求項１又は２に記載の制御装置。
【請求項４】
前記制御装置の前記入力部に作動的に結合される前記光センサをさらに有する、請求項１ないし３のいずれか一項に記載の制御装置。
【請求項５】
前記制御装置と作動的に結合される前記少なくとも１つの照明装置と、請求項４に記載の制御装置とを有する、昼光採光システム。
【請求項６】
昼光採光システムの少なくとも１つの照明装置の光強度を制御する方法であって、前記方法は、
光センサから光レベル測定結果を受信するステップと、
前記光センサが不正変更されたかどうかを決定するステップと、
前記光センサが不正変更されていない場合に、前記少なくとも１つの照明装置を昼光採光モードで制御し、前記光センサが不正変更された場合に、前記少なくとも１つの照明装置をフォールバックモードで制御するステップと
を有し、
前記フォールバックモードは、内蔵プログラムに基づいて、前記少なくとも１つの照明装置の前記光強度を制御するステップを有し、前記昼光採光モードは、少なくとも１つの光レベル測定結果に基づいて、前記少なくとも１つの照明装置の前記光強度を制御するステップを有し、
前記光センサが不正変更されたかどうかを決定するステップは、
少なくとも１つの光レベル測定結果を前記光センサの暗電流値と比較することと、
第１光レベル測定結果を受信し、前記光強度を増大させる又は減少させるために前記少なくとも１つの照明装置を制御し、第２光レベル測定結果を受信し、前記第１光レベル測定結果を前記第２光レベル測定結果と比較することと、
第１期間に受信される第１光レベル測定結果と第２期間に受信される第２光レベル測定結果とを比較することであって、第１光レベル測定結果の終了と第２光レベル測定結果の開始とは少なくとも１分離れている、当該比較することと、
の何れかを含む、
方法。
【請求項７】
前記光センサが不正変更されたかどうかの決定に基づいて、音声又は視覚的指示器を制御するステップをさらに有する、請求項６に記載の方法。
【請求項８】
前記光センサが不正変更されたかどうかを表示する信号を外部の監視システムに送信するステップをさらに有する、請求項６又は７に記載の方法。
【請求項９】
昼光採光システムの少なくとも１つの照明装置の光強度を制御するためのコンピュータプログラムであって、前記コンピュータプログラムがコンピュータ上で実行された場合に、請求項６ないし８のいずれか一項に記載の方法のステップを実行するためのソフトウェアコード部分を有する、コンピュータプログラム。
【発明の詳細な説明】
【技術分野】
【０００１】
本発明は、概して、昼光採光システムの分野、特に、不正変更対策の昼光採光システムの分野における制御装置、方法及びコンピュータプログラムに関する。
【背景技術】
【０００２】
昼光採光システムは、例えば室内の人工光のレベル及び昼光のレベルの両方を（例えばブラインドの制御を通して）制御するシステムを開示する米国特許第５，６４８，６５６号から知られている。或る昼光採光システムは、ユーザが光強度設定を変更することを可能にし、このようなシステムの例は、米国特許第８，１９７，０９３号に開示されている。デフォルトの光強度設定と比較して光強度を増大させるために、ユーザが光強度設定を変更する場合、このようなシステムは、予測される省エネを実現させるには不十分である。省エネを確実にするには、或るシステムは、ユーザがローカルにデフォルト設定を変更することを許可しない。ユーザは、このような制限を、昼光採光システムを不正変更することよって回避しようとし、このような昼光採光システムによって実現される省エネを制限する。したがって、改善された昼光採光システムのためのニーズが有る。
【発明の概要】
【発明が解決しようとする課題】
【０００３】
発明者は、例えば、昼光採光システムがユーザにデフォルト設定を（局所的に）変更することを許可しない場合に、光レベルを増大させるために、オフィスビル内の人々がこのようなシステムのセンサを不正変更することに気が付いた。このような不正変更は、センサの視野を遮断したり、光が検出されるのを（部分的に）遮るための物質をセンサに付与することなどを含む。本発明の目的は、昼光採光システムの照明装置を制御するための改善された制御装置を提供することである。この目的は、制御装置に作動的に結合される少なくとも１つの照明装置の光強度を制御するための当該制御装置を提供することによって達成される。制御装置は、入力部に作動的に結合される光センサから光レベル測定結果を受信するように構成される当該入力部と、入力部を介して受信される少なくとも１つの光レベル測定結果に基づいて、光センサが不正変更されたかどうかを決定するように構成されるコントローラであって、さらに、光センサが不正変更されたと決定した場合に、フォールバックモードに従って、少なくとも１つの照明装置を制御し、光センサが不正変更されていないと決定した場合に、昼光採光モードに従って、少なくとも１つの照明装置を制御するように構成されたコントローラとを有し、フォールバックモードは、コントローラにアクセス可能な内蔵プログラムに基づいて、少なくとも１つの照明装置の光強度を制御することを有し、昼光採光モードは、少なくとも１つの光レベル測定結果に基づいて、少なくとも１つの照明装置の光強度を制御することを有する。
【課題を解決するための手段】
【０００４】
本発明による制御装置の実施形態では、光センサが不正変更されたかどうかを決定することは、少なくとも１つの光レベル測定結果を光センサの暗電流値と比較することを有する。
【０００５】
本発明による制御装置の別の実施形態では、光センサが不正変更されたかどうかを決定することは、入力部を介して、第１光レベル測定結果を受信する第１ステップと、光強度を増加させる又は減少させるために少なくとも１つの照明装置を制御する第２ステップと、入力部を介して、第２光レベル測定結果を受信する第３ステップと、第１光レベル測定結果を第２光レベル測定結果と比較する第４ステップとを有する。
【０００６】
本発明による制御装置のさらに別の実施形態では、光センサが不正変更されたかどうかを決定することは、第１期間に入力部を介して受信される第１光レベル測定結果を、第２期間に入力部を介して受信される第２光レベル測定結果と比較することを有し、第１期間の終了と第２期間の開始とは少なくとも１分離れている。
【０００７】
本発明による制御装置の他の実施形態では、コントローラは、さらに、光センサが不正変更されたかどうかの決定に基づいて、音声又は視覚的指示器を制御するように構成される。
【０００８】
本発明による制御装置のさらなる他の実施形態では、コントローラは、さらに、光センサが不正変更されたかどうかを表示する信号を外部の監視システムに送信するように構成される。
【０００９】
本発明による制御装置のさらなる他の実施形態では、制御装置は、さらに、制御装置の入力部に作動的に結合される光センサを有する。
【００１０】
本発明による制御装置のさらなる他の実施形態では、制御装置は、さらに、制御装置と作動的に結合される少なくとも１つの照明装置を有する昼光採光システムの一部である。
【００１１】
本発明の別の目的は、昼光採光システムの照明装置を制御するための改善された方法を提供することである。この目的は、昼光採光システムの少なくとも１つの照明装置の光強度を制御する方法を提供することによって達成される。本方法は、光センサから光レベル測定結果を受信するステップと、光センサが不正変更されたかどうかを決定するステップと、光センサが不正変更されていない場合に、少なくとも１つの照明装置を昼光採光モードで制御し、光センサが不正変更された場合に、少なくとも１つの照明装置をフォールバックモードで制御するステップとを有し、フォールバックモードは、内蔵プログラムに基づいて、少なくとも１つの照明装置の光強度を制御するステップを有し、昼光採光モードは、少なくとも１つの光レベル測定結果に基づいて、少なくとも１つの照明装置の光強度を制御するステップを有する。
【００１２】
本発明による方法の実施形態では、光センサが不正変更されたかどうかを決定するステップは、少なくとも１つの光レベル測定結果を光センサの暗電流値と比較するステップを有する。
【００１３】
本発明による方法の別の実施形態では、光センサが不正変更されたかどうかを決定するステップは、第１光レベル測定結果を受信する第１ステップと、光強度を増加させる又は減少させるために少なくとも１つの照明装置を制御する第２ステップと、第２光レベル測定結果を受信する第３ステップと、第１光レベル測定結果を第２光レベル測定結果と比較する第４ステップとを有する。
【００１４】
本発明による方法のさらなる別の実施形態では、光センサが不正変更されたかどうかを決定するステップは、第１期間に受信される第１光レベル測定結果を第２期間に受信される第２光レベル測定結果と比較するステップであって、第１期間の終了と第２期間の開始とは少なくとも１分離れている当該ステップを有する。
【００１５】
本発明による方法の他の実施形態では、方法は、さらに、光センサが不正変更されたかどうかの決定に基づいて、音声又は視覚的指示器を制御するステップを有する。
【００１６】
本発明による方法のさらなる他の実施形態では、光センサが不正変更されたかどうかを表示する信号を外部の監視システムに送信するステップを有する。
【００１７】
本発明の目的は、昼光採光システムの照明装置を制御するための改善されたコンピュータプログラムを提供することである。この目的は、昼光採光システムの少なくとも１つの照明装置の光強度を制御するためのコンピュータプログラムであって、当該プログラムがコンピュータ上で実行された場合に、本発明による方法の任意の実施形態のステップを実行するためのソフトウェアコード部分を有する当該コンピュータプログラムを提供することによって達成される。
【００１８】
本発明の上記及び他の、特性、特徴及び有利な点は、例として、本発明の原理を示す添付の図面と併せて、下記の詳細な説明から明らかになるだろう。この説明は、本発明の範囲を限定することなく、単なる例のために与えられる。下記に引用される参照図面は、添付の図面を参照する。
【図面の簡単な説明】
【００１９】
【図１】本発明による制御装置を有する昼光採光システムの実施形態を模式的に示す。
【図２】本発明による制御装置及び光センサを有する昼光採光システムの別の実施形態を模式的に示す。
【図３】本発明による方法の実施形態を模式的に示す。
【図４】光センサを有する本発明による制御装置の実施形態を示す。
【図５】不正変更された光センサを有する本発明による制御装置の別の実施形態を模式的に示す。
【発明を実施するための形態】
【００２０】
図１では、本発明による制御装置１００を有する昼光採光システムＳの実施形態が示される。制御装置１００は、入力部１０５及びコントローラ１１０を有する。入力部は、光センサ１３０から信号１２０を受信するように構成される。制御装置１００及び光センサ１３０は、単一の筐体に設けられるか、又は別々のユニットであり得る。制御装置１００は、１つの光センサ１３０又は複数の光センサに動作可能に結合され得る。光センサ１３０によって制御装置１００に送信される信号１２０は、光レベル測定結果に関する。追加データ（例えば状態情報、又は動き、占有若しくは存在検出に関するデータ）が信号１２０に含まれ得、信号１２０は、制御装置１００に情報を自発的に送信する（プッシュする）光センサ１３０あるいは光センサ１３０に情報を要求する（ポーリングする）制御装置１００に基づいて送信され得る。さらに、信号１２０は、有線（例えば専用若しくは共用の制御ケーブル、又はＵＴＰケーブル）あるいは無線接続（例えばＺｉｇＢｅｅ（登録商標）又は８０２.１１準拠の無線接続）を介して送信され得、信号は、直接的に又は１つ以上の他の装置（ビル管理システム又はルーターなど）を介して送信され得る。光レベル測定結果に関する信号１２０は、周期的に（例えば光レベル測定結果が変化した時に、時間間隔に基づいて、存在が検出された時に）あるいは継続的に（例えば測定された光強度に関するアナログ信号が）送信され得る。
【００２１】
制御装置１００のコントローラ１１０は、入力部１０５を介する信号１２０の受信に基づいて、光センサが不正変更されたかどうかを決定する。コントローラ１１０は、信号１２０を光センサの暗電流値（すなわち、センサが積極的に光に露出されていない時に受信される信号）と比較し得る。例として、信号１２０が光センサの暗電流値に等しい又は光センサの暗電流値に関係する閾値を下回る場合、コントローラ１１０は、光センサ１３０が不正変更されたと決定し得る。比較は、第１光レベル測定結果（例えばルクスレベル）又は電力測定結果（例えば電圧、電力、抵抗）を、第２光レベル測定結果又は電力測定結果と比較するステップを有し得る。このような比較は、コントローラ１１０が光センサ１３０が不正変更された又は不正変更されていないと決定する前に、一回又は複数回行われ得る。光センサ１３０が不正変更されたかどうかの決定は、離散決定（すなわち、光センサが不正変更された又は光センサが不正変更されていないのいずれか）であり、あるいは、（例えば光センサ１３０が不正変更されたという基準又は可能性に基づく）非離散決定で有り得る。光センサの暗電流値は、制御装置１００（例えばコントローラ１１０にアクセス可能なメモリユニット、不図示）に記憶され得、光センサ１３０から受信される又はインターネットを介してサーバからなど別の装置（不図示）からアクセスされる信号１２０に含まれ得る。光センサの暗電流値は、単一の静的値で有り得、又は例えば（例えばディップスイッチを通して又は光センサ１３０と制御装置１００を組み合わせることによって）局所的に若しくは（例えばビル管理システムを介して）集約的に選択され得る。別の例として、制御装置１００が複数の種類の光センサと組み合わせて使用され得る場合、信号１２０を提供する特定の光センサ１３０のための暗電流値が、光センサ１３０を識別する制御装置１００に基づいて、ダウンロードされ得る。光センサの暗電流値は、静的又は動的（例えば自己学習的）で有り得る。同様に、光センサの暗電流値に関する閾値は、局所的に又は集約的に、及び、静的又は動的に、記憶され、設定され、又は制御され得る。このような閾値は、予め決定された値で有り得、又は、暗電流値（例えば暗電流値のプラス又はマイナスパーセント）若しくは光センサ１３０から受信される信号１２０の値の範囲（例えば最小及び最大値又は最小及び標準動作可能値）に関係し得る。
【００２２】
別の例では、コントローラ１１０は、少なくとも１つの照明装置１５０の光強度を増大させる又は減少させるように構成される照明装置制御信号１４０を生成することによって、光センサ１３０が不正変更されたかどうかを決定する。コントローラ１１０は、信号１２０に含まれる第１及び第２光レベル測定結果を比較し、第１光レベル測定結果は、コントローラ１１０が照明装置１５０の光強度を増大させる又は減少させる前に測定され、第２光レベル測定結果は、コントローラ１１０が照明装置１５０の光強度を増大させた又は減少させた後に測定される。コントローラ１１０は、第１光レベル測定結果と第２光レベル測定結果との間に差が無い場合又は差が閾値を超えない場合に、光センサ１３０が不正変更されたと決定し得る。コントローラ１１０は、この比較を一回、又は例えば他の影響(例えば測定エラー、照明装置１５０ではなく別の光源から受けた光が光センサ１３０に与える影響)を取り除くために複数回行い得る。例として、コントローラ１１０は、比較（例えば第１光レベル測定結果を取得し、光強度を１０％増大させ、第２光レベル測定結果を取得し、光強度をさらに１０％増大させ、第３光レベル測定結果を取得し、そして、３つの光レベル測定結果を比較する）が行われる度に、少なくとも１つの照明装置１５０の光強度を増大させる又は減少させるように構成され得る。他の選択肢は、コントローラ１１０が、光センサ１３０が不正変更されたかどうかの決定の一部として、少なくとも１つの照明装置１５０のオフ・オンすること、又はコントローラ１１０が、少なくとも１つの照明装置の光強度レベルを特定のパターン（例えば受ける昼光に存在しにくいパターン又はユーザにとっての不快感若しくは認識され易さを最小化するパターン）に変化させることを含む。制御装置１００は、少なくとも１つの照明装置１５０の光強度を制御するように構成される照明装置制御信号１４０を生成する。照明装置制御信号１４０は、例えば、調光因子（係数）（例えばオン／オフ、７０％の光強度に調光する）、周波数（例えばフリッカを含む）、色（例えば色温度又は発せられる色の分布を変更する）、又は少なくとも１つの照明装置１５０によって放射される光の方向を制御するように構成され得る。他の例として、制御装置１００は、次いで、周波数を５０Ｈｚから１００Ｈｚに変更する、色温度を柔らかい白色からまぶしい白色に変更する、特定の色の光にスパイクを追加する（例えばユーザによって認識される光の色を実質的に同じに保ち、さらに、１つ以上の色の存在を増やす）、又は光の方向を変更する（例えばビームの焦点を変える、光を光センサ１３０に向ける）前後の信号１２０同士を比較することによって、光センサ１３０が不正変更されたかどうかを決定し得る。さらなる別の例では、制御装置１００は、少なくとも１つの照明装置１５０によって放射された光に符号化された光（すなわち、変調された発光埋込データ）を含めるように構成される照明装置制御信号１４０を生成する。コントローラ１１０は、次いで、この符号化された光の受信（例えば受信された符号化される光信号の品質）に基づいて、光センサ１３０が不正変更されたかどうかを決定し得る。
【００２３】
さらなる別の例では、コントローラ１１０は、第１の光レベル測定結果と第２光レベル測定結果とを比較し、第１光レベル測定結果は、第１期間に光センサ１３０から受信される信号１２０に基づき、第２光レベル測定結果は、第２期間に光センサ１３０から受信される信号１２０に基づく。第１及び第２期間は、照明装置１５０ではなく別の光源からの、光センサ１３０によって受信された光の光レベルが変わったという可能性を増加させるようにに選択され得る。例として、光センサ１３０は、環境光源１８０（例えば太陽）からの光を受ける窓１７０を有する部屋１６０（例えば事務室、保管室、試着室）に設置され得る。この環境光源１８０の光レベルは、時間にわたって変化し、例えば雲が窓１７０に入る日光を遮ることがあり、太陽の動きが窓１７０に入る光の方向及び量に影響を与えることがあり、又は街頭のオン・オフが窓に入る光の量に影響を与えることがある。コントローラ１１０は、第１期間及び第２期間の間隔を狭くしたり（例えば１分又は数分離れて）、互いに大きく離して（例えば３０分又は１日離れて）選択し得、又は昼夜リズムに基づいて期間（例えば半日離れて、昼間の第１期間及び夜間の第２期間）を選択し得る。さらに、コントローラ１１０は、光センサ１３０が不正変更されたかどうかの間違った肯定又は間違った否定の決定の機会を減少させるために、複数の光レベル測定結果を使用し得る。例として、コントローラ１１０は、光レベル測定結果の第１セットを１分間離れて取得し、第１レベル測定結果と第２レベル測定結果との間に差が全く又は少ししか検出されなかった場合に、第３の測定結果を５分後に取得し得る。
【００２４】
光センサ１３０が不正変更されたかどうかを決定するこれら又は他の方法は、例えば、互いに組み合わされて使用され得る。コントローラ１１０は、数分離れて取得された第１光レベル測定結果と第２光レベル測定結果とを比較し、当該結果に基づいて、昼間及び夜間の光レベル測定結果を比較することを決定し得る。複数の光センサがシステム内に存在する（不図示）場合、コントローラ１１０は、さまざまな光センサ（例えば近接するセンサ又は類似するパターンの光レベル測定結果を示すセンサ）から取得される光レベル測定結果を比較し得る。さらに、コントローラ１１０は、例えば高い精度を達成するため、過去のデータを含むために光レベル測定結果を記憶するように構成され得る。
【００２５】
制御装置１００は、この例では、さらに、光センサ１３０が不正変更されたかどうかに基づいて、照明装置制御信号１４０を生成するように構成される。第１の例では、制御装置１００は、少なくとも１つの照明装置１５０を、光センサ１３０が不正変更されたと決定した場合に、予め決定されたレベル（例えば７０％）に調光し、少なくとも１つの照明装置１５０を、光センサ１３０が不正変更されたと決定しない場合に、光センサ１３０から受信される光レベル測定結果に基づいて、可変レベルに調光する。光センサ１３０が不正変更された場合に制御装置１００が少なくとも１つの照明装置１５０を動作させるモードは、ここでは、フォールバックモードとして示され、光センサ１３０が不正変更されていないと決定した場合に制御装置１００が動作させるモードは、ここでは、昼光採光モードとして示される。これらのモードは、例示目的のみとして名付けられる。デフォルトモードがフォールバックモードであること、複数の他のモードがあること、又は制御装置１００は、単一のモードで動作させる、例えば光センサ１３０が不正変更された可能性に基づく基準を用いて動作させることは、完全に可能である。
【００２６】
フォールバックモードは、コントローラ１１０が内蔵プログラムに基づいて照明装置制御信号１４０を生成するステップを有する。図１では、コントローラ１１０は、内蔵プログラム（例えばマイクロコントローラに埋め込まれたプログラム）を有し、コントローラ１１０にアクセス可能なこのような内蔵プログラムの他の例は、コントローラ１１０にアクセス可能なメモリユニット（不図示）に記憶された内蔵プログラム、制御装置１００が動作可能に結合される（不図示）又はインターネット（不図示）を通してアクセス可能なビル管理システムによって提供される内蔵プログラムを含む。内蔵プログラムは、コントローラ１１０が、固定の設定（例えば７０％の光強度に調光する）、１つ以上の変数に基づく設定（例えば日照時間の間は５０％に、残りの時間は７０％に調光するという時間信号に基づく、晴れの場合は６０％に、曇りの場合は８０％に調光するという天気の種類に基づく）、及びさらに、１つ以上の光レベル測定結果、例えば光センサ１３０が不正変更されたことが決定されたが、依然として、昼光採光の基礎として用いられ得る信号１２０を提供する光レベル測定結果に基づく設定、に従って、照明装置制御信号１４０を生成するように構成され得る。別の例では、内蔵プログラムは、コントローラ１１０が他の光センサ（すなわち不正変更されたと決定された光センサ１３０ではなく別の光センサ）からの光レベル測定結果を使用するようにトリガする。内蔵プログラムは、（例えば省エネを提供するために、環境法又は規則の順守を提供するために）調光因子を変化させるステップ、周波数を変化させるステップ（例えば光センサ１３０を不正変更するのを妨げるために、又はユーザがメンテナンスを呼ぶためのトリガを提供するためにフリッカを含む）、色を変更するステップ（例えば光生成の効率を増加させるために色を変更する又は光センサ１３０が不正変更されたことが分かるようにするために色を変更する）、又は（例えばデスク照明を提供するが、タスクに関係ない照明を制限することによってエネルギーを節約するために）光が放射される種々異なる方向を提供することを有し得る。
【００２７】
昼光採光モードは、光センサ１３０から受信される光レベル測定結果が照明装置制御信号１４０を生成するための基礎となるモードを有する。例として、コントローラ１１０は、光レベル測定結果を調光因子に関連付けるルックアップテーブル（不図示）にアクセスし得る。別の例として、コントローラ１１０が天気予報、人の存在、又は他のデータにアクセスし、このようなデータを、照明装置制御信号１４０を生成するための基礎として、光レベル測定結果と組み合わせるなど、複数の変数が使用され得る。さらに、昼光採光モードは、（例えばユーザの快適さを向上させるために）周波数を変化させる、（例えば少なくとも１つの照明装置１５０によって提供される光と、窓１７０に入る環境光源１８０からの光との組み合わされた光の実質的に一定の光の色を認識することをユーザに提供するために）色を変更する、又は光が放射される種々異なる方向を提供する（例えば少なくとも１つの照明装置１５０の光を昼光をわずかしか受けないエリアに集める）など、少なくとも１つの照明装置１５０の光強度ではなく１つ以上の他の因子を制御するように構成される照明装置制御信号１４０を生成するコントローラを有し得る。他の選択肢（不図示）は、光センサ１３０が不正変更されたと決定された場合にコントローラ１１０がオンにすることができる音声指示器（例えばビープ音を発するスピーカ）及び／又は視覚的指示器(例えば表示光)を有する制御装置１００を有する。さらに、制御装置１００は、光センサ１３０が不正変更されたことを示す信号を、外部の監視システム（不図示）（例えばビル管理システム）に送信するように構成され得る。
【００２８】
ユーザは、光センサに届く光の量を制限する又は光センサの光レベルの変化を検出する機能を制限するために、光センサを覆う（例えば光センサにテープを貼る、光センサに布きれを被せる）又は光センサの視野を遮る（例えば光センサの近くに物体を置く）など多くのやり方で、光センサ１３０を不正変更し得る。不正変更は、（例えばユーザが少なくとも１つの照明装置１５０を調光したい又はオフにしたい場合に）ユーザが光源を直接的に光センサ１３０に向けることも含み得る。他の例では、コントローラ１１０は、光センサ１３０が不正変更された状況と光センサ１３０が故障した又は利用できない状況とを区別し得る。さらに、図１は単一の制御装置１００を示すが、制御装置１００の機能は、昼光採光システムＳの複数のコンポーネントに実装され得る。
【００２９】
図２では、例として、昼光採光システムＳは、光センサ２００が、該光センサが不正変更されたかを決定するためにコントローラ２１０を有し、他の機能は、制御装置１００のコントローラ２３０に含まれるという意味で分散されるコントローラ２１０、２３０を有する。光センサ２００は、次いで、信号２２０を制御装置１００に送信し、信号２２０は、光レベル測定結果又は光センサ２００が不正変更された表示を含む。制御装置１００のコントローラ２３０は、次いでシンプルに、信号２２０が光センサ２００が不正変更された表示を含む場合に、フォールバックモードになり、又は信号２２０が光センサ２００が不正変更された表示を含まない場合に、昼光採光モードになる。図１の制御装置と同様に、図２の制御装置は、次いで、例えば、昼光採光モードでは、光センサ２００の光レベル測定結果を使用して、窓１７０を通して部屋１６０に入る環境光源１８０からの光で占めさせるために、部屋１６０の少なくとも１つの照明装置１５０を調光し得る。
【００３０】
図３は、（１）ステップ３００で、光センサから光レベル測定結果を受信するステップと、（２）ステップ３１０で、光センサが不正変更されたかどうかを決定するステップと、（３）ステップ３２０又は３３０のいずれかで、少なくとも１つの照明装置を制御するステップとの３つのステップを有する本発明による方法の模式的な表現を示す。少なくとも１つの照明装置を制御するステップは、図３のように、２つの選択肢、つまり、ステップ３２０で、昼光採光モードに従って少なくとも１つの照明装置を制御するステップ、又はステップ３３０で、フォールバックモードに従って少なくとも１つの照明装置を制御するステップから成る。本発明による方法の他の実施形態は、これらの内の一つ又は１つ以上の他のモードを有し得る。
【００３１】
図４は、光センサ４１０を有するフィリップス社製ＯｃｃｕＳｗｉｔｃｈなどの天井取り付け式制御装置４００の底面図を示す。この例では、光センサ４１０は、実際のセンサが後ろに位置付けられる制御装置４００の外側から見える光学素子を有する。本発明による制御装置及び方法は、ＯｃｃｕＳｗｉｔｃｈではない他の装置（例えば他の光又は占有センサ、カメラ又は携帯電話などの多目的デバイス）に実装され得る。このような装置は、光レベル測定結果が取得される部屋の中又は別の場所（例えば窓に一体化される又は窓の外側）のいずれかに実装され得る。
【００３２】
図５は、光センサ（不図示）が不正変更された図４の制御装置４００を示す。不透明なテープ５１０が光センサを遮るために使用されている。
【００３３】
上述した実施形態は、本発明を限定するものではなく説明しており、当業者であれば添付の特許請求の範囲から逸脱することなく代替の実施形態を考案することができることに留意されたい。特許請求の範囲では、括弧内に配されたいかなる参照符号もが特許請求の範囲を限定するものとして解釈されるべきではない。動詞「有する」は、特許請求の範囲において述べられていない構成要素又はステップの存在を排除するものではない。構成要素の前に付された冠詞「a」又は「an」は、複数のそのような構成要素の存在を排除するものではない。本発明は、幾つかの別個の構成要素を有するハードウェア及び好適にプログラムされたコンピュータにより実現され得る。幾つかの手段を列挙しているユニットの請求項では、これらの手段の幾つかがハードウェア又はソフトウェアの１つの同じアイテムにより具現化され得る。第１、第２、及び第３などの単語の使用は、任意の順序を示すものではない。これらの単語は名称として解釈されるべきである。行為の特定のシーケンスは、特に示されない限り、要求されるものとして意図されない。
【図１】
0006290373.tif 000002
【図２】
0006290373.tif 000003
【図３】
0006290373.tif 000004
【図４】
0006290373.tif 000005
【図５】
0006290373.tif 000006